(57)【要約】【課題】捻りブラシを湾曲させて使用しても、毛抜けが生じるおそれのない口腔ケア用のブラシを提供する。【解決手段】口腔ケア用のブラシ１は、ループ部４と根元部５とを持つ捻りブラシ２と、その根元部５を固定する軸部材３とを具備する。捻りブラシ２は、一対の撚り合わされた金属ワイヤ６ａ，６ｂからなるワイヤ芯６と、ワイヤ６ａ，６ｂ間に撚りに沿って螺旋状の列をなすように保持される弾性フィラメント７とを具備する。フィラメント７は、螺旋フィラメントからなる。１つの金属ワイヤ６ａが、螺旋フィラメント７の中に挿通され、他のワイヤ６ｂと撚られ、それによって螺旋フィラメント７が撚りに沿って螺旋状に保持される。ループ部４は、ワイヤ芯６の螺旋フィラメント７を保持する部分が環状に屈曲されてなる。根元部５は、ワイヤ芯６の両端部がループを閉じるように互いに撚り合わされてなる。【選択図】図１
2016202743.tif 000002
【特許請求の範囲】
【請求項１】
ループ部とこのループ部を閉じる根元部を有する捻りブラシと、この捻りブラシの根元部を固定する軸部材とを具備し、
前記捻りブラシは、少なくとも一対の互いに撚り合わされた金属ワイヤで形成されるワイヤ芯と、このワイヤ芯の長さ方向の中間部において金属ワイヤ間に挟まれてワイヤ芯の撚りに沿ってワイヤ芯の周りに螺旋状の列をなすように保持される弾性フィラメントとを具備し、
前記弾性フィラメントは、一連の螺旋状に成形された少なくとも１つの螺旋フィラメントからなり、
前記金属ワイヤは、少なくとも１つが前記螺旋フィラメントの螺旋の中に挿通され、両端部が螺旋フィラメントの両端から延出した状態で撚られ、それによって金属ワイヤの長さ方向の中間部において螺旋フィラメントを撚りに沿って螺旋状の列をなすように保持し、
前記ループ部は、前記ワイヤ芯における前記螺旋フィラメントを保持する部分が環状に曲げられて形成され、
前記根元部は、前記ワイヤ芯における前記螺旋フィラメントを保持しない両端部がループを閉じるように互いに撚り合わされて棒状に形成されることを特徴とする口腔ケア用ブラシ。
【請求項２】
前記螺旋フィラメントを形成する弾性フィラメントは、モノフィラメントからなることを特徴とする請求項１に記載の口腔ケア用ブラシ。
【請求項３】
前記螺旋フィラメントを形成する弾性フィラメントは、撚糸からなることを特徴とする請求項１に記載の口腔ケア用ブラシ。
【請求項４】
前記捻りブラシのループ部がワイヤ芯を曲げることにより適宜形状に変形可能であることを特徴とする請求項１に記載の口腔ケア用ブラシ。
【請求項５】
前記捻りブラシの根元部が適宜形状に変形可能であることを特徴とする請求項１に記載の口腔ケア用ブラシ。
【発明の詳細な説明】
【技術分野】
【０００１】
本発明は、歯ブラシ、舌苔の除去、粘膜の刺激、口腔内の洗浄等の目的で用いられる口腔ケア用ブラシに関する。
【背景技術】
【０００２】
従来、把持柄の先端両側部に、舌背の舌苔をかきこする外方へ湾曲したブラシ体の両端部を取り付けた舌ブラシが特許文献１に提案されている。ブラシ体は、線材に多数の毛を螺旋状に配列して構成されたねじりブラシ体からなる。
【先行技術文献】
【特許文献】
【０００３】
【特許文献１】特開２００１−２９１３６号公報
【発明の概要】
【発明が解決しようとする課題】
【０００４】
上記従来の舌ブラシにおけるように、捻りブラシを湾曲させて使用する場合、ブラシ毛を保持している金属線材に部分的な撚りの戻りが生じ、その結果、毛抜けが生じ易くなるという問題点がある。
したがって、本発明は、捻りブラシを湾曲させて使用しても、毛抜けが生じるおそれのない口腔ケア用のブラシを提供することを目的としている。
【課題を解決するための手段】
【０００５】
以下、添付図面の符号を参照して説明するが、本発明はこれに限定されるものではない。
上記課題を解決するための、本発明の口腔ケア用のブラシ１は、ループ部４と、このループ部４を閉じる根元部５とを有する捻りブラシ２と、この捻りブラシ２の根元部５を固定する軸部材３とを具備する。捻りブラシ２は、少なくとも一対の互いに撚り合わされた金属ワイヤ６ａ，６ｂで形成されるワイヤ芯６と、このワイヤ芯６の長さ方向の中間部において金属ワイヤ６ａ，６ｂ間に挟まれてワイヤ芯６の撚りに沿ってワイヤ芯６の周りに螺旋状の列をなすように保持される弾性フィラメント７とを具備する。弾性フィラメント７は、一連の螺旋状に成形された少なくとも１つの螺旋フィラメントからなる。少なくとも１つの金属ワイヤ６ａは、螺旋フィラメント７の螺旋の中に挿通され、両端部が螺旋フィラメント７の両端から延出した状態で撚られ、それによって長さ方向の中間部において螺旋フィラメント７を撚りに沿って螺旋状の列をなすように保持する。ループ部４は、ワイヤ芯６における螺旋フィラメント７を保持する部分が環状に曲げられて形成される。根元部５は、ワイヤ芯６における螺旋フィラメント７を保持しない両端部がループを閉じるように互いに撚り合わされて棒状に形成される。
【発明の効果】
【０００６】
本発明の口腔ケア用のブラシ１は、それを構成する捻りブラシ２が、ループ部４を有するが、ループ部４に固定されるフィラメント７が、螺旋状に形成されており、ワイヤ芯６を形成する金属ワイヤ６ａ，６ｂがフィラメント７の螺旋の中に通されているため、ループ部４の湾曲によってワイヤ芯６の撚りの戻り現象が生じても、フィラメント７が抜け落ちるおそれがない。したがって、使い勝手によりループ部を任意の形状に変形させて、安全に使用することができる。
【図面の簡単な説明】
【０００７】
【図１】本発明に係る口腔ケア用のブラシを示すもので、（Ａ）は正面図、（Ｂ）は側面図である。
【図２】図１の口腔ケア用のブラシにおける捻りブラシの製造過程を示す正面である。
【図３】本発明の他の実施形態に係る口腔ケア用のブラシの正面図である。
【図４】本発明のさらに他の実施形態に係る口腔ケア用のブラシの正面図である。
【発明を実施するための形態】
【０００８】
図面を参照して本発明の実施の形態を説明する。
口腔ケア用ブラシ１は、捻りブラシ２と、これを支持する軸部材３とを具備する。捻りブラシ２は、ループ部４とこのループ部を閉じる根元部５を有する。根元部５は、軸部材３に固定される。
【０００９】
捻りブラシ２は、一対の互いに撚り合わされた２本の金属ワイヤ６ａ，６ｂで形成されるワイヤ芯６と、このワイヤ芯６の長さ方向の中間部において金属ワイヤ６ａ，６ｂ間に挟まれて、それの撚りに沿ってワイヤ芯６の周りに螺旋状の列をなすように保持される弾性フィラメント７とを具備する。
【００１０】
図２（Ａ）に示すように、弾性フィラメント７は、一連の螺旋状に成形された１つの螺旋フィラメントからなる。一方の金属ワイヤ６ａは、螺旋フィラメント７の螺旋の中に挿通され、両端部が螺旋フィラメント７の両端から延出した状態で撚られ、それによって、図２（Ｂ）に示すように、長さ方向の中間部において螺旋フィラメント７が金属ワイヤ６ａ、６ｂの撚りに沿って螺旋状の列をなすように保持された中間材８が形成される。
【００１１】
ループ部４は、中間材８のワイヤ芯６における螺旋フィラメント７を保持する部分が、概略環状に曲げられて形成される。
【００１２】
根元部５は、ワイヤ芯６における螺旋フィラメント７を保持しない両端部が、ループ部４の輪を閉じるように、中間財８の撚り方向と反対方向に再度互いに撚り合わされて棒状に形成される。棒状に形成された根元部５は、軸部材３に圧入して固定され、あるいは軸部材３の成型時にインサートされる。
【００１３】
ループ部４を形成する際、例えば、中間材８における螺旋フィラメント７を保持する部分を成形型に掛け回し、型の外周の形状に合わせてワイヤ芯６を屈曲させる。成形型に掛けたまま、中間材８の両端部に撚りをかけると、撚りの螺旋は両端部から成形型に向かって進行するように形成される。撚りが成形型に到達した後、適度な撚りピッチになるまで撚り加工を継続する。撚りが成形型に到達した後、撚り加工を継続しても、その応力は、成形型に掛け回したループ部４には伝わらないから、ループ部４は所期の屈曲形状を保つ。ループ部４の屈曲形状は、後工程でプレス加工することもできる。
【００１４】
図１，図３において、螺旋フィラメント７を形成する弾性フィラメントは、モノフィラメントからなるが、これに限定されるものではなく、例えば図４に示すような毛糸状の撚糸であってもよい。
【００１５】
捻りブラシ２の根元部５は、２本のワイヤ６ａ，６ｂの撚線同士が撚られて合計４本のワイヤ６ａ，６ｂから棒状に形成されるので、比較的大きな弾性を有し、使用時に比較的強い押圧力を必要とする場合でも、不用意に塑性変形することがない。一方、いったん任意の形状に塑性変形させれば、その形状を維持しやすいし、繰り返しの曲げ伸ばしに対する強度も大きい。ループ部４は、用途に合わせてワイヤ芯６を曲げることで、自由に変形させることができる。特定用途向きに、製造時に所要の形状に予め加工することができるし、使用時に適宜変形させることができる。図３，図４に示すような鋭角な曲げによっても、フィラメント７が脱落することがなく、口腔内で安全に使用することができる。
【００１６】
以上の実施形態においては、２本の金属ワイヤ６ａ６ｂの一方を螺旋フィラメントに通して撚り合わせたが、２本又は３本の金属ワイヤをそれぞれ螺旋フィラメントに通し、互いに撚り合わせる構成とすることができる。２本の金属ワイヤは、一端側において折り返し連続しているものでよい。
【符号の説明】
【００１７】
１      口腔ケア用ブラシ
２      捻りブラシ
３      軸部材
４      ループ部
５      根元部
６      ワイヤ芯
６ａ    ワイヤ
６ｂ    ワイヤ
７      螺旋フィラメント
８      中間材
【図１】
2016202743.tif 000003
【図２】
2016202743.tif 000004
【図３】
2016202743.tif 000005
【図４】
2016202743.tif 000006